(57)【特許請求の範囲】
【請求項１】
直交周波数分割多重された信号を受信する受信装置において、
受信信号を１有効シンボル期間遅延させる遅延部と、
前記受信信号と遅延された前記受信信号との積より相関信号を算出する相関処理部と、
前記相関信号の積分値を算出する積分処理部と、
受信装置内部のシンボル開始タイミングの前の所定期間における前記積分値を累積加算する第１の累積加算部と、
前記シンボル開始タイミングの後の前記所定期間における前記積分値を累積加算する第２の累積加算部と、
前記第１の累積加算部による第１の加算結果と前記第２の累積加算部による第２の加算結果との差分を、前記第１の加算結果と前記第２の加算結果との和で正規化した誤差信号を生成する誤差信号生成部と、
を有することを特徴とする受信装置。
【請求項２】
前記シンボル開始タイミングの前の前記所定期間に前記第１の累積加算部の累積加算を実行させ、前記シンボル開始タイミングの後の前記所定期間に前記第２の累積加算部の累積加算を実行させる制御信号を生成する誤差検出制御信号生成部を有することを特徴とする請求項１記載の受信装置。
【請求項３】
前記第１及び前記第２の累積加算部は、それぞれ、前記制御信号に応じて前記積分値または零のいずれかを選択して出力する選択回路と、累積加算結果を保持する保持回路と、前記保持回路の値と前記選択回路からの出力値とを加算して前記保持回路に入力する加算器と、を有することを特徴とする請求項２記載の受信装置。
【請求項４】
前記所定期間の長さは、ガードインターバル長であることを特徴とする請求項１記載の受信装置。
【請求項５】
直交周波数分割多重された受信信号のシンボルタイミングと受信装置内部のシンボルタイミングの誤差を検出する誤差検出回路において、
前記受信信号と前記受信信号を１有効シンボル期間遅延させた遅延信号との積から算出される相関信号の、前記受信装置内部のシンボル開始タイミングの前の所定期間における積分値を累積加算する第１の累積加算部と、
前記相関信号の、前記受信装置内部の前記シンボル開始タイミングの後の前記所定期間における前記積分値を累積加算する第２の累積加算部と、
前記第１の累積加算部による第１の加算結果と、前記第２の累積加算部による第２の加算結果との差分を、前記第１の加算結果と前記第２の加算結果との和で正規化した誤差信号を生成する誤差信号生成部と、
を有することを特徴とする誤差検出回路。
【請求項６】
前記第１及び前記第２の累積加算部には、前記シンボル開始タイミングの前の前記所定期間に前記第１の累積加算部の累積加算を実行させ、前記シンボル開始タイミングの後の前記所定期間に前記第２の累積加算部の累積加算を実行させる制御信号が入力されることを特徴とする請求項５記載の誤差検出回路。
【請求項７】
前記第１及び前記第２の累積加算部は、それぞれ、前記制御信号に応じて前記積分値または零のいずれかを選択して出力する選択回路と、累積加算結果を保持する保持回路と、前記保持回路の値と前記選択回路からの出力値とを加算して前記保持回路に入力する加算器と、を有することを特徴とする請求項６記載の誤差検出回路。
【請求項８】
前記誤差信号生成部は、前記差分を演算する減算器と、前記第１の加算結果と前記第２の加算結果とを加算する加算器と、前記差分を前記加算器の演算結果で除算する除算器とを有することを特徴とする請求項５記載の誤差検出回路。
【請求項９】
前記所定期間の長さは、ガードインターバル長であることを特徴とする請求項５記載の誤差検出回路。
【請求項１０】
直交周波数分割多重された信号を受信する受信方法において、
受信信号を１有効シンボル期間遅延させ、
前記受信信号と遅延された前記受信信号との積より相関信号を算出し、
前記相関信号の積分値を算出し、
第１の累積加算部により受信装置内部のシンボル開始タイミングの前の所定期間における前記積分値を累積加算し、
第２の累積加算部により前記シンボル開始タイミングの後の前記所定期間における前記積分値を累積加算し、
前記第１の累積加算部による第１の加算結果と前記第２の累積加算部による第２の加算結果との差分を、前記第１の加算結果と前記第２の加算結果との和で正規化した誤差信号を生成することを特徴とする受信方法。
【発明の詳細な説明】
【技術分野】
【０００１】
本発明は受信装置、誤差検出回路及び受信方法に関し、特に直交周波数分割多重（ＯＦＤＭ：Orthogonal Frequency Division Multiplexing）された信号を受信する受信装置、受信したＯＦＤＭ信号のシンボルタイミングと受信装置内部のシンボルタイミングの誤差を検出する誤差検出回路及びＯＦＤＭ信号を受信する受信方法に関する。
【背景技術】
【０００２】
マルチキャリア伝送方式の一つであるＯＦＤＭは、マルチパス遅延による障害に強い伝送方式であり地上波デジタル放送などでの適用が開始されている。
図６は、ＯＦＤＭ信号を説明する図である。【０００３】
ＯＦＤＭ信号を受信する受信装置は、ＯＦＤＭ信号中の有効シンボルと呼ばれる区間を高速フーリエ変換（ＦＦＴ：Fast Fourier Transform）することにより復調を行う。各有効シンボルの前には、マルチパス遅延による障害を除去するために利用される、ガードインターバル（ＧＩ）と呼ばれる信号が挿入されており、ガードインターバルと有効シンボルで１シンボルのＯＦＤＭ信号を構成している。受信装置では、ガードインターバルとして挿入される信号が有効シンボルの最終部のコピーであることを利用して、以下のように受信信号からシンボルタイミングを検出する。【０００４】
図７は、シンボルタイミングの検出方法を説明する図である。
受信装置は、受信信号を１有効シンボル期間だけ遅延させ、受信信号と遅延信号とを乗算して相関信号を計算した後、移動平均により相関信号を積分する。するとシンボルの開始位置でピークが現われる。受信装置はこのピーク位置からシンボル開始位置を検出し、シンボルタイミングを捕捉する。このような処理をシンボルタイミング同期処理と呼ぶ。【０００５】
受信装置は、シンボルタイミング同期がとれると、内部のクロックに応じてシンボルのサンプル数をカウントすることで、次のシンボル開始タイミングを生成し、ＦＦＴの演算タイミングなどを決定する。【０００６】
しかし、受信装置内部のクロックによるサンプリング周波数の誤差により、受信装置内部で生成したシンボル開始タイミングが、図７で示したような移動平均出力信号のピーク位置とずれ、タイミング誤差が発生する場合がある。【０００７】
従来の受信装置では、このずれ量を誤差信号としてフィードバックし、常に受信装置内部のシンボル開始タイミングと移動平均出力信号のピーク位置とが一致するようにサンプリング周波数の制御を行っていた。【０００８】
また、従来、受信装置内部のシンボル開始タイミングの前後所定期間における移動平均出力信号の面積差を求めることにより、タイミング誤差を検出する手法もあった。
図８は、移動平均出力信号の面積によりタイミング誤差を検出する方法を説明する図であり、（Ａ）は受信信号のシンボル開始タイミングと受信装置のシンボル開始タイミングが一致している場合、（Ｂ）は受信装置のシンボル開始タイミングが受信信号のシンボル開始タイミングよりも早い場合、（Ｃ）は受信装置のシンボル開始タイミングが受信信号のシンボル開始タイミングよりも遅い場合を示す図である。【０００９】
従来の受信装置は、受信装置のシンボル開始タイミングの前後所定期間の移動平均出力信号の面積を比較する。面積ＳＬ５は、受信装置のシンボル開始タイミングの前の所定期間における移動平均出力信号の面積であり、面積ＳＲ５は、受信装置内部のシンボル開始タイミングの後の所定期間における移動平均出力信号の面積である。具体的に各面積ＳＬ５、ＳＲ５は、移動平均出力信号のＬ個のサンプル値の総和で求められる。図８では２Ｌを、誤差検出範囲としている。【００１０】
図８（Ａ）のように、移動平均出力信号のピーク（受信信号のシンボル開始タイミング）と受信装置内部のシンボル開始タイミングが一致している場合、面積ＳＬ５と面積ＳＲ５の差分は０となり、誤差が無いことが検出される。【００１１】
一方、図８（Ｂ）のように、受信装置内部のシンボル開始タイミングが受信信号のシンボル開始タイミングよりも早い場合には、面積ＳＬ５と面積ＳＲ５の差分（ＳＬ５−ＳＲ５）はマイナスの値となる。反対に図８（Ｃ）のように、受信装置内部のシンボル開始タイミングが受信信号のシンボル開始タイミングよりも遅い場合には、面積ＳＬ５と面積ＳＲ５（ＳＬ５−ＳＲ５）はプラスの値となる。従来の受信装置では、このような面積ＳＬ５、ＳＲ５の差分の値をもとに、サンプリング周波数を補正することで受信装置のタイミング誤差を補正していた。【００１２】
面積差を求める手法として、従来、２Ｌ個の１クロック遅延器で構成されたＦＩＲ（Finite Impulse Response）フィルタを用いて面積差を求める受信装置が知られている（例えば、特許文献１参照。）。
【特許文献１】特開２００１−２８５２４５号公報（段落番号〔００１８〕〜〔００２１〕，第９図、第１０図）
【発明の開示】
【発明が解決しようとする課題】
【００１３】
しかし、受信信号をもとに算出した面積を利用して受信装置のシンボルタイミングのタイミング誤差を補正する従来の受信装置では、面積差の計算に必要な加算器の数が多く、回路規模が大規模になる問題があった。【００１４】
例えば、２Ｌ個の１クロック遅延器で構成されたＦＩＲフィルタを用いた受信装置では、通常、２Ｌ−１個の加算器が必要であり、誤差の検出範囲を広げると回路規模もさらに増大していく問題がある。【００１５】
また、受信信号をもとに算出した面積を利用して受信装置のシンボルタイミングのタイミング誤差を補正する従来の受信装置では、受信信号の入力レベルの変動によって、検出される誤差信号も変動するという問題があった。これにより制御系の安定性、収束性に悪影響を与えるという問題があった。【００１６】
本発明はこのような点に鑑みてなされたものであり、小規模な回路構成で受信信号と受信装置内部のシンボルタイミングの誤差を検出可能であり、受信信号の入力レベルの変動による誤差信号の変動を抑制可能な受信装置を提供することを目的とする。【００１７】
また、本発明の他の目的は、小規模な回路構成で受信信号と受信装置内部のシンボルタイミングの誤差を検出可能であり、受信信号の入力レベルの変動による誤差信号の変動を抑制可能な誤差検出回路を提供することである。【００１８】
また、本発明の他の目的は、小規模な回路構成で受信信号と受信装置内部のシンボルタイミングの誤差を検出可能であり、受信信号の入力レベルの変動による誤差信号の変動を抑制可能な受信方法を提供することである。
【課題を解決するための手段】
【００１９】
本発明では上記問題を解決するために、直交周波数分割多重された信号を受信する受信装置において、図１に示すように、受信信号を１有効シンボル期間遅延させる遅延部２と、受信信号と遅延された受信信号との積より相関信号を算出する相関処理部３と、相関信号の積分値を算出する積分処理部４と、受信装置内部のシンボル開始タイミングの前の所定期間における積分値を累積加算する累積加算部５１と、シンボル開始タイミングの後の所定期間における積分値を累積加算する累積加算部５２と、累積加算部５１による第１の加算結果と累積加算部５２による第２の加算結果との差分を、第１の加算結果と第２の加算結果との和で正規化した誤差信号を生成する誤差信号生成部５３と、を有することを特徴とする受信装置が提供される。【００２０】
上記の構成によれば、遅延部２は受信信号を１有効シンボル期間遅延させ、相関処理部３は受信信号と遅延された受信信号との積より相関信号を算出し、積分処理部４は相関信号の積分値を算出し、累積加算部５１は受信装置内部のシンボル開始タイミングの前の所定期間における積分値を累積加算し、累積加算部５２はシンボル開始タイミングの後の所定期間における積分値を累積加算し、誤差信号生成部５３は累積加算部５１による第１の加算結果と累積加算部５２による第２の加算結果との差分を、第１の加算結果と第２の加算結果との和で正規化した誤差信号を生成する。
【発明の効果】
【００２１】
本発明では、受信信号から算出される相関信号を積分し、受信装置内部のシンボル開始タイミングの前後の所定期間における積分値の加算結果（面積）の差分を、両方の加算結果の和（総面積）で正規化するので、受信信号の入力レベルの変動によらず、一定の出力レベルの誤差信号を生成できる。これにより、受信装置内部のシンボルタイミングと受信信号のシンボルタイミングの誤差の補正をより正確に行うことができる。【００２２】
また、２つの累積加算部により、相関信号の積分値の、受信装置内部のシンボル開始タイミングの前の所定期間における累積加算と、シンボル開始タイミングの後の所定期間における累積加算を演算するので、少ない加算器による小規模な回路構成で誤差検出が実現できる。【００２３】
本発明の上記および他の目的、特徴および利点は本発明の例として好ましい実施の形態を表す添付の図面と関連した以下の説明により明らかになるであろう。
【図面の簡単な説明】
【００２４】
【図１】本実施の形態の受信装置の要部の概略構成図である。
【図２】移動平均出力信号と、受信装置内部のシンボルタイミング及び累積加算を実行させるための制御信号を示す図である。
【図３】受信信号と受信装置のシンボルタイミングがずれている場合の誤差検出を説明する図であり、（Ａ）が受信装置のシンボルタイミングが早い場合、（Ｂ）が受信装置のシンボルタイミングが遅い場合を示す図である。
【図４】受信信号の入力レベルが変動した場合の各信号の変化を示す図であり、（Ａ）が受信信号、（Ｂ）が総面積（ＳＬ１＋ＳＲ１）、（Ｃ）が誤差信号の変化を示す図である。
【図５】誤差検出部の回路構成を示す図である。
【図６】ＯＦＤＭ信号を説明する図である。
【図７】シンボルタイミングの検出方法を説明する図である。
【図８】移動平均出力信号の面積によりタイミング誤差を検出する方法を説明する図であり、（Ａ）は受信信号のシンボル開始タイミングと受信装置のシンボル開始タイミングが一致している場合、（Ｂ）は受信装置のシンボル開始タイミングが受信信号のシンボル開始タイミングよりも早い場合、（Ｃ）は受信装置のシンボル開始タイミングが受信信号のシンボル開始タイミングよりも遅い場合を示す図である。
【発明を実施するための最良の形態】
【００２５】
以下、本発明の実施の形態を図面を参照して詳細に説明する。
図１は、本実施の形態の受信装置の要部の概略構成図である。
本実施の形態の受信装置は、Ａ／Ｄ（アナログ／デジタル）変換部１、遅延部２、相関処理部３、積分処理部４、誤差検出部（誤差検出回路）５、誤差検出制御信号生成部６、制御部７、クロック生成部８を有している。【００２６】
なお、図１ではシンボルタイミング同期処理を行う構成については省略しており、受信装置は、すでにシンボルタイミングを捕捉しているとして、受信装置内で捕捉しているシンボルタイミングと、受信装置で逐次受信する受信信号のシンボルタイミングとの誤差を検出する構成を主に示している。【００２７】
Ａ／Ｄ変換部１は、図示しないチューナより受信したＯＦＤＭ信号をＡ／Ｄ変換する。
遅延部２は、Ａ／Ｄ変換部１でＡ／Ｄ変換された受信信号を、１有効シンボル期間遅延させる。【００２８】
相関処理部３は、受信信号と、１有効シンボル期間遅延させた遅延信号とを乗算して相関信号を算出する。
積分処理部４は、例えば、移動平均により相関信号を積分する。【００２９】
本実施の形態の特徴部分である誤差検出部５は、累積加算部５１、５２と誤差信号生成部５３を有している。累積加算部５１は、受信装置内部のシンボル開始タイミングの前の所定期間における相関信号の積分値（移動平均出力信号）を累積加算する。累積加算部５２は、シンボル開始タイミングの後の所定期間における積分値を累積加算する。なお、シンボル開始タイミングの前後の所定期間は同一長さの期間であり、例えば、ガードインターバル長である。また、誤差信号生成部５３は、累積加算部５１による加算結果と累積加算部５２による加算結果との差分を、各加算結果の和で正規化した誤差信号を生成する。誤差検出部５の詳細な回路構成は後述する。【００３０】
誤差検出制御信号生成部６は、受信装置内部のシンボル開始タイミングの前の所定期間に累積加算部５１の累積加算を実行させる制御信号ＳＥＬ０、シンボル開始タイミングの後の所定期間に累積加算部５２の累積加算を実行させる制御信号ＳＥＬ１を生成する。【００３１】
制御部７は、誤差検出部５から出力された誤差信号をもとに、受信信号のシンボルタイミングと受信装置内部のシンボルタイミングに誤差がある場合には、それを一致させるためにクロックを制御する制御信号を生成する。【００３２】
クロック生成部８は、制御部７からの制御信号に応じて、クロック周波数を制御してＡ／Ｄ変換部１でのＡ／Ｄ変換や、ＦＦＴなどで使用するサンプリング周波数を補正する。
以下、本実施の形態の受信装置の動作を説明する。【００３３】
Ａ／Ｄ変換部１によりＡ／Ｄ変換された受信信号は、遅延部２にて１有効シンボル期間遅延される。相関処理部３は、受信信号と遅延された受信信号との積により相関信号を算出する。さらに、積分処理部４は、例えば、ガードインターバル期間での移動平均により相関信号を積分し、その積分結果である移動平均出力信号を誤差検出部５に入力する。【００３４】
図２は、移動平均出力信号と、受信装置内部のシンボルタイミング及び累積加算を実行させるための制御信号を示す図である。
ここでは、受信装置内部のシンボルタイミングで、シンボルｎからシンボルｎ＋１へ移行する際の移動平均出力信号及び制御信号ＳＥＬ０、ＳＥＬ１を示している。【００３５】
誤差検出制御信号生成部６は、受信装置内部のシンボルタイミングにおいて、シンボルｎ＋１のシンボル開始タイミングの前の期間Ｌ（例えば、ガードインターバル長）に、Ｈ（High）レベルとなる制御信号ＳＥＬ０を生成して累積加算部５１に入力する。累積加算部５１は、このシンボル開始タイミングの前の期間Ｌにおいて入力された移動平均出力信号の値を累積加算する。これにより、シンボル開始タイミングの前の期間Ｌにおける移動平均出力信号の加算結果である面積ＳＬ１が得られる。シンボル開始タイミング後には制御信号ＳＥＬ０はＬ（Low）レベルとなり、累積加算部５１は累積加算を停止し、その加算結果を保持する。【００３６】
次に、誤差検出制御信号生成部６は、シンボル開始タイミングの後の期間ＬにＨレベルとなる制御信号ＳＥＬ１を生成して累積加算部５２に入力する。累積加算部５２は、このシンボル開始タイミングの後の期間Ｌにおいて入力された移動平均出力信号の値を累積加算する。これにより、シンボル開始タイミングの後の期間Ｌにおける移動平均出力信号の加算結果である面積ＳＲ１が得られる。期間Ｌの後、制御信号ＳＥＬ１はＬレベルとなり、累積加算部５２は累積加算を停止し、その加算結果を保持する。【００３７】
シンボル開始タイミングの前後の加算結果がともに得られると、誤差信号生成部５３は、累積加算部５１、５２の加算結果の差分（ＳＬ１−ＳＲ１）を、両加算結果の和（総面積：ＳＬ１＋ＳＲ１）で割ることで、正規化した誤差信号を生成する。図２のように、移動平均出力信号のピークが受信装置内部のシンボル開始タイミングと一致する場合には、累積加算部５１、５２の加算結果である面積ＳＬ１は面積ＳＲ１と等しいので、差分（ＳＬ１−ＳＲ１）＝０であり、誤差信号も０となる。この場合は、受信信号のシンボルタイミングと、受信装置内部のシンボルタイミングが一致していると検出され、制御部７によるクロックの制御は行われない。【００３８】
図３は、受信信号と受信装置のシンボルタイミングがずれている場合の誤差検出を説明する図であり、（Ａ）が受信装置のシンボルタイミングが早い場合、（Ｂ）が受信装置のシンボルタイミングが遅い場合を示している。【００３９】
受信装置のシンボルタイミングが早い場合、図３（Ａ）のように、面積ＳＲ１が面積ＳＬ１よりも大きくなるので、差分（ＳＬ１−ＳＲ１）はマイナスの値となる。また、正規化した誤差信号（ＳＬ１−ＳＲ１）／（ＳＬ１＋ＳＲ１）もマイナスの値となる。このような場合、制御部７は誤差信号に応じてクロックを制御してサンプリング周波数を遅くする補正を行うことで、受信信号と受信装置のシンボルタイミングを一致させる。【００４０】
一方、受信装置のシンボルタイミングが遅い場合、図３（Ｂ）のように、面積ＳＬ１が面積ＳＲ１よりも大きくなるので、差分（ＳＬ１−ＳＲ１）はプラスの値となる。また、正規化した誤差信号（ＳＬ１−ＳＲ１）／（ＳＬ１＋ＳＲ１）もプラスの値となる。このような場合、制御部７は誤差信号に応じてクロックを制御してサンプリング周波数を早くする補正を行うことで、受信信号と受信装置のシンボルタイミングを一致させる。【００４１】
図４は、受信信号の入力レベルが変動した場合の各信号の変化を示す図であり、（Ａ）が受信信号、（Ｂ）が総面積（ＳＬ１＋ＳＲ１）、（Ｃ）が誤差信号の変化を示す図である。【００４２】
受信信号の入力レベルが図４（Ａ）のように変動した場合、相関処理部３から出力される相関信号も入力レベルに比例するため、従来の誤差信号であったＳＬ１−ＳＲ１も図４（Ｃ）のように入力レベルに比例して変動する。これに対し、本実施の形態の受信装置では、総面積（ＳＬ１＋ＳＲ１）が図４（Ｂ）のように、入力レベルに比例することを利用し、差分（ＳＬ１−ＳＲ１）を総面積（ＳＬ１＋ＳＲ１）で正規化している。これにより、図４（Ｃ）のように入力レベルの変動に対しても一定の誤差信号が出力される。【００４３】
このように、本実施の形態の受信装置によれば、シンボル開始タイミングの前後の期間Ｌの移動平均出力信号の値の加算結果の差分を、両方の加算結果の和で正規化するので、受信信号の入力レベルの変動によらず、一定の出力レベルの誤差信号を生成できる。これにより、受信装置内のシンボルタイミングと受信信号のシンボルタイミングの誤差の補正をより正確に行うことができる。【００４４】
また、累積加算部５１、５２により面積ＳＬ１、ＳＲ１を演算するので、少ない加算器による小規模な回路構成で誤差検出部５を実現できる。
以下、誤差検出部５の具体的な回路構成を説明する。【００４５】
図５は、誤差検出部の回路構成を示す図である。
誤差検出部５において、累積加算部５１、５２は、それぞれセレクタ５１ａ、５２ａ、加算器５１ｂ、５２ｂ、ラッチ回路（フリップフロップ（ＦＦ））５１ｃ、５２ｃを有する。【００４６】
セレクタ５１ａ、５２ａは、制御信号ＳＥＬ０、ＳＥＬ１に応じて図１の積分処理部４から入力される移動平均出力信号の値か、０のいずれかを選択して出力する。
加算器５１ｂ、５２ｂは、セレクタ５１ａ、５２ａから出力された値と、ラッチ回路５１ｃ、５２ｃで保持された値を加算する。【００４７】
ラッチ回路５１ｃ、５２ｃは、加算器５１ｂ、５２ｂでの加算結果を保持する。
また、誤差信号生成部５３は、減算器５３ａ、加算器５３ｂ、除算器５３ｃを有する。
減算器５３ａは、累積加算部５１の加算結果である面積ＳＬ１と累積加算部５２の加算結果である面積ＳＲ１との差分（ＳＬ１−ＳＲ１）を算出する。【００４８】
加算器５３ｂは、面積ＳＬ１と面積ＳＲ１との和（総面積）（ＳＬ１＋ＳＲ１）を算出する。
除算器５３ｃは、差分（ＳＬ１−ＳＲ１）を総面積（ＳＬ１＋ＳＲ１）で正規化した誤差信号（ＳＬ１−ＳＲ１）／（ＳＬ１＋ＳＲ１）を算出する。【００４９】
次に、図５の誤差検出部５の動作を説明する。
図２、図３で示したように、受信装置のシンボル開始タイミングの前の期間Ｌの間は、制御信号ＳＥＬ０がＨレベル、制御信号ＳＥＬ１がＬレベルである。このとき、セレクタ５１ａは移動平均出力信号の値を選択し、セレクタ５２ａは０を選択して出力する。これにより、累積加算部５１の加算器５１ｂとラッチ回路５１ｃにより、移動平均出力信号の値が累積加算され面積ＳＬ１が算出される。一方、受信装置のシンボル開始タイミングの前の期間Ｌの間は、累積加算部５２の加算器５２ｂには０が入力されるので、累積加算部５２の出力は０である。【００５０】
受信装置のシンボル開始タイミングが到来すると、その後の期間Ｌの間は、制御信号ＳＥＬ０がＬレベル、制御信号ＳＥＬ１がＨレベルになる。このとき、セレクタ５１ａは０を選択し、セレクタ５２ａは移動平均出力信号の値を選択して出力する。これにより、累積加算部５１の出力は面積ＳＬ１のままであるが、累積加算部５２の加算器５２ｂとラッチ回路５２ｃにより、移動平均出力信号の値が累積加算され面積ＳＲ１が算出される。【００５１】
累積加算部５１、５２で算出された面積ＳＬ１、ＳＲ１は、誤差信号生成部５３の減算器５３ａに入力され差分（ＳＬ１−ＳＲ１）が算出されるとともに、加算器５３ｂに入力され総面積（ＳＬ１＋ＳＲ１）が算出される。また、差分（ＳＬ１−ＳＲ１）と、総面積（ＳＬ１＋ＳＲ１）が除算器５３ｃに入力され、誤差信号（ＳＬ１−ＳＲ１）／（ＳＬ１＋ＳＲ１）が算出され出力される。【００５２】
このように、本実施の形態の誤差検出部５では、累積加算部５１、５２にそれぞれ１つの加算器５１ｂ、５２ｂがあればよく、小規模な回路構成で入力レベルの変動によらず一定の誤差信号を出力することができる。【００５３】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００５４】
１  Ａ／Ｄ変換部
２  遅延部
３  相関処理部
４  積分処理部
５  誤差検出部（誤差検出回路）
６  誤差検出制御信号生成部
７  制御部
８  クロック生成部
５１、５２  累積加算部
５３  誤差信号生成部
【図１】
0004562777.tif 000002
【図２】
0004562777.tif 000003
【図３】
0004562777.tif 000004
【図４】
0004562777.tif 000005
【図５】
0004562777.tif 000006
【図６】
0004562777.tif 000007
【図７】
0004562777.tif 000008
【図８】
0004562777.tif 000009